(57)【要約】【課題】  本発明は、車載装置、車載装置の情報提供方法、車載装置の情報提供方法のプログラム及び車載装置の情報提供方法のプログラムを記録した記録媒体に関し、例えばナビゲーション機能、コンテンツの再生機能を有する車載装置に適用して、ユーザーの使い勝手を向上する。【解決手段】  本発明は、メニューの選択により表示を切り換える構成において、タッチパネルを用いた指によるジェスチャーにより表示の切り換えを受け付ける。【選択図】  図８
2010157252.tif 000002
【特許請求の範囲】
【請求項１】
ユーザーへの地図情報を含む情報の提供に供する表示手段と、
前記ユーザーの指による操作を入力する入力手段と、
前記入力手段による入力結果に基づいて、前記表示手段の地図表示を制御する制御手段とを備え、
前記入力手段は、
少なくとも前記表示手段の表示画面に設けられたタッチパネルを有し、
前記制御手段は、
前記入力手段による入力結果に基づいて、前記表示手段でメニュー画面を表示すると共に、前記メニュー画面におけるメニューの選択により、前記表示手段における表示を切り換え、
前記タッチパネルで検出される前記ユーザーの指によるジェスチャーに応じて、前記メニュー画面を表示して特定のメニューが選択された場合と同一に、前記表示手段における表示を切り換え、
前記入力手段において、前記ユーザーの指による数字の３を描く軌跡が検出された場合、上記表示手段に表示された２次元地図を３次元地図表示に切り替え、前記ユーザーの指による数字の２を描く軌跡が検出された場合、前記表示手段に表示された３次元地図を２次元地図表示に切り替えることを特徴とする、地図表示装置。
【請求項２】
表示手段を介して地図情報を含む情報をユーザーに提供する車載装置の情報提供方法において、
入力手段による入力結果に基づいて、前記表示手段でメニュー画面を表示する、メニュー画面表示のステップと、
前記メニュー画面におけるメニューの選択により、前記表示手段における表示を切り換える、メニューによる表示切り換えのステップと、
前記表示手段の表示画面に配置されたタッチパネルで検出される指によるジェスチャーに応じて、前記メニュー画面を表示して特定のメニューが選択された場合と同一に、前記表示手段における表示を切り換える、ジェスチャーによる表示切り換えのステップと
を有し、
前記入力手段において、前記ユーザーの指による数字の３を描く軌跡が検出された場合、上記表示手段に表示された２次元地図を３次元地図表示に切り替え、前記ユーザーの指による数字の２を描く軌跡が検出された場合、前記表示手段に表示された３次元地図を２次元地図表示に切り替えることを特徴とする、地図情報表示方法。
【請求項３】
表示手段を介して地図情報を含む情報をユーザーに提供する車載装置の情報提供方法のプログラムにおいて、
入力手段による入力結果に基づいて、前記表示手段でメニュー画面を表示する、メニュー画面表示のステップと、
前記メニュー画面におけるメニューの選択により、前記表示手段における表示を切り換える、メニューによる表示切り換えのステップと、
前記表示手段の表示画面に配置されたタッチパネルで検出される指によるジェスチャーに応じて、前記メニュー画面を表示して特定のメニューが選択された場合と同一に、前記表示手段における表示を切り換える、ジェスチャーによる表示切り換えのステップと
を有し、
前記入力手段において、前記ユーザーの指による数字の３を描く軌跡が検出された場合、上記表示手段に表示された２次元地図を３次元地図表示に切り替え、前記ユーザーの指による数字の２を描く軌跡が検出された場合、前記表示手段に表示された３次元地図を２次元地図表示に切り替えることを特徴とする、地図情報提供方法のプログラム。
【請求項４】
表示手段を介して所望の情報をユーザーに提供する車載装置の情報提供方法のプログラムを記録した記録媒体において、
前記プログラムは、
入力手段による入力結果に基づいて、前記表示手段にメニュー画面を表示する、メニュー画面表示のステップと、
前記メニュー画面におけるメニューの選択により、前記表示手段における表示を切り換える、メニューによる表示切り換えのステップと、
前記表示手段の表示画面に配置されたタッチパネルで検出される指によるジェスチャーに応じて、前記メニュー画面を表示して特定のメニューが選択された場合と同一に、前記表示手段における表示を切り換える、ジェスチャーによる表示切り換えのステップと
を有し、
前記入力手段において、前記ユーザーの指による数字の３を描く軌跡が検出された場合、上記表示手段に表示された２次元地図を３次元地図表示に切り替え、前記ユーザーの指による数字の２を描く軌跡が検出された場合、前記表示手段に表示された３次元地図を２次元地図表示に切り替えることを特徴とする、地図情報提供方法のプログラムを記録した記録媒体。
【発明の詳細な説明】
【技術分野】
【０００１】
本発明は、車載装置、車載装置の情報提供方法、車載装置の情報提供方法のプログラム及び車載装置の情報提供方法のプログラムを記録した記録媒体に関し、例えばナビゲーション機能、コンテンツの再生機能を有する車載装置に適用することができる。本発明は、メニューの選択により表示を切り換える構成において、タッチパネルを用いた指によるジェスチャーにより表示の切り換えを受け付けることにより、ユーザーの使い勝手を向上する。
【背景技術】
【０００２】
従来、車載装置であるカーナビゲーション装置においては、例えば特開平１０−１４１９７４号公報に開示されているように、階層構造によるメニューを表示し、このメニューの選択をタッチパネル等により受け付けるようになされている。また特開平１１−８５３９８号公報においては、カーナビゲーション装置において、タッチパネルを用いて線画の入力を受け付ける方法が提案されるようになされている。
【０００３】
これに対して近年、このようなナビゲーション機能に加えて、オーディオ、ビデオの再生機能を有する車載装置が提案されるようになされている。このような車載装置は、カーナビゲーション装置、カーオーディオ装置等を個々に車両に搭載する場合に比して、少ないスペースにより簡易に車両に搭載することができる。
【０００４】
しかしながらこのような車載装置においては、ナビゲーションに係る操作、情報表示に加えて、これらオーディオ、ビデオのコンテンツに係る操作、情報表示が必要になり、これによりユーザーインターフェースが複雑になり、ユーザーの負担が増大する問題がある。具体的に、例えば階層構造によりメニューを表示する場合は、機能が増大した分、メニューに係る階層が増大し、その分、操作の回数が増大して使い勝手が劣化する。またこのようなメニューを単に表示するだけでも、表示画面が煩雑になり、ユーザーの使い勝手が劣化することになる。これに対して特開平１１−８５３９８号公報に提案の線画によるコマンドの入力にあっては、機能の増大により線画の種類が増大し、ユーザーの負担が急激に増大する。
【先行技術文献】
【特許文献】
【０００５】
【特許文献１】特開平１０−１４１９７４号公報
【特許文献２】特開平１１−８５３９８号公報
【発明の概要】
【発明が解決しようとする課題】
【０００６】
本発明は以上の点を考慮してなされたもので、ユーザーの使い勝手を向上することができる車載装置、車載装置の情報提供方法、車載装置の情報提供方法のプログラム及び車載装置の情報提供方法のプログラムを記録した記録媒体を提案しようとするものである。
【課題を解決するための手段】
【０００７】
かかる課題を解決するため請求項１の発明においては、地図表示装置に適用して、ユーザーへの地図情報を含む情報の提供に供する表示手段と、上記ユーザーの指による操作を入力する入力手段と、上記入力手段による入力結果に基づいて、上記表示手段の地図表示を制御する制御手段とを備え、上記入力手段は、少なくとも上記表示手段の表示画面に設けられたタッチパネルを有し、上記制御手段は、上記入力手段による入力結果に基づいて、上記表示手段でメニュー画面を表示すると共に、上記メニュー画面におけるメニューの選択により、上記表示手段における表示を切り換え、上記タッチパネルで検出される上記ユーザーの指によるジェスチャーに応じて、上記メニュー画面を表示して特定のメニューが選択された場合と同一に、上記表示手段における表示を切り換え、上記入力手段において、上記ユーザーの指による数字の３を描く軌跡が検出された場合、上記表示手段に表示された２次元地図を３次元地図表示に切り替え、上記ユーザーの指による数字の２を描く軌跡が検出された場合、上記表示手段に表示された３次元地図を２次元地図表示に切り替える。
【０００８】
また請求項２の発明においては、表示手段を介して地図情報を含む情報をユーザーに提供する車載装置の情報提供方法において、入力手段による入力結果に基づいて、上記表示手段でメニュー画面を表示する、メニュー画面表示のステップと、上記メニュー画面におけるメニューの選択により、上記表示手段における表示を切り換える、メニューによる表示切り換えのステップと、上記表示手段の表示画面に配置されたタッチパネルで検出される指によるジェスチャーに応じて、上記メニュー画面を表示して特定のメニューが選択された場合と同一に、上記表示手段における表示を切り換える、ジェスチャーによる表示切り換えのステップとを有し、上記入力手段において、上記ユーザーの指による数字の３を描く軌跡が検出された場合、上記表示手段に表示された２次元地図を３次元地図表示に切り替え、上記ユーザーの指による数字の２を描く軌跡が検出された場合、上記表示手段に表示された３次元地図を２次元地図表示に切り替える。
【０００９】
また請求項３の発明においては、表示手段を介して地図情報を含む情報をユーザーに提供する車載装置の情報提供方法のプログラムにおいて、入力手段による入力結果に基づいて、上記表示手段でメニュー画面を表示する、メニュー画面表示のステップと、上記メニュー画面におけるメニューの選択により、上記表示手段における表示を切り換える、メニューによる表示切り換えのステップと、上記表示手段の表示画面に配置されたタッチパネルで検出される指によるジェスチャーに応じて、上記メニュー画面を表示して特定のメニューが選択された場合と同一に、上記表示手段における表示を切り換える、ジェスチャーによる表示切り換えのステップとを有し、上記入力手段において、上記ユーザーの指による数字の３を描く軌跡が検出された場合、上記表示手段に表示された２次元地図を３次元地図表示に切り替え、上記ユーザーの指による数字の２を描く軌跡が検出された場合、上記表示手段に表示された３次元地図を２次元地図表示に切り替える。
【００１０】
また請求項４の発明においては、表示手段を介して所望の情報をユーザーに提供する車載装置の情報提供方法のプログラムを記録した記録媒体において、上記プログラムは、入力手段による入力結果に基づいて、上記表示手段にメニュー画面を表示する、メニュー画面表示のステップと、上記メニュー画面におけるメニューの選択により、上記表示手段における表示を切り換える、メニューによる表示切り換えのステップと、上記表示手段の表示画面に配置されたタッチパネルで検出される指によるジェスチャーに応じて、上記メニュー画面を表示して特定のメニューが選択された場合と同一に、上記表示手段における表示を切り換える、ジェスチャーによる表示切り換えのステップとを有し、上記入力手段において、上記ユーザーの指による数字の３を描く軌跡が検出された場合、上記表示手段に表示された２次元地図を３次元地図表示に切り替え、上記ユーザーの指による数字の２を描く軌跡が検出された場合、上記表示手段に表示された３次元地図を２次元地図表示に切り替える。
【００１１】
請求項１の構成により、地図表示装置に適用して、ユーザーへの地図情報を含む情報の提供に供する表示手段と、上記ユーザーの指による操作を入力する入力手段と、上記入力手段による入力結果に基づいて、上記表示手段の地図表示を制御する制御手段とを備え、上記入力手段は、少なくとも上記表示手段の表示画面に設けられたタッチパネルを有し、上記制御手段は、上記入力手段による入力結果に基づいて、上記表示手段でメニュー画面を表示すると共に、上記メニュー画面におけるメニューの選択により、上記表示手段における表示を切り換え、上記タッチパネルで検出される上記ユーザーの指によるジェスチャーに応じて、上記メニュー画面を表示して特定のメニューが選択された場合と同一に、上記表示手段における表示を切り換え、上記入力手段において、上記ユーザーの指による数字の３を描く軌跡が検出された場合、上記表示手段に表示された２次元地図を３次元地図表示に切り替え、上記ユーザーの指による数字の２を描く軌跡が検出された場合、上記表示手段に表示された３次元地図を２次元地図表示に切り替えれば、メニュー画面の表示、このメニュー画面におけるメニューの選択による表示の切り換えを、１つのジェスチャーにより実行し得、これによりユーザーによる操作の負担、操作手順の記憶に係る負担を軽減して使い勝手を向上することができる。また表示画面においてメニューの表示をしなくてもよいことにより、表示画面の煩雑さを防止し得、これによってもユーザーの使い勝手を向上することができる。
【００１２】
これにより請求項２、請求項３、請求項４の構成によれば、ユーザーの使い勝手を向上することができる車載装置の情報提供方法、車載装置の情報提供方法のプログラム及び車載装置の情報提供方法のプログラムを記録した記録媒体を提供することができる。
【発明の効果】
【００１３】
本発明によれば、ユーザーの使い勝手を向上することができる。
【図面の簡単な説明】
【００１４】
【図１】本発明の実施例による車載装置を周辺構成と共に示す斜視図である。
【図２】図１の車載装置のブロック図である。
【図３】図１の車載装置のタッチパネル用のプログラムメニュー画面を示す平面図である。
【図４】図１の車載装置における地図の表示を示す平面図である。
【図５】図４のメイン画面におけるメニューの説明に供する平面図である。
【図６】図４のメイン画面における情報表示の説明に供する平面図である。
【図７】縮尺の拡大、縮小の説明に供する平面図である。
【図８】子画面表示に係る表示切り換えの説明に供する平面図である。
【図９】２次元表示、３次元表示の切り換えの説明に供する平面図である。
【図１０】視点の移動に係る表示の切り換えの説明に供する平面図である。
【図１１】画面分割に係る表示の切り換えの説明に供する平面図である。
【図１２】映像コンテンツの提供の説明に供する平面図である。
【図１３】映像コンテンツにおける表示切り換えの説明に供する平面図である。
【図１４】映像コンテンツにおける表示切り換えの他の例の説明に供する平面図である。
【図１５】映像コンテンツにおける再生速度に係る表示切り換えの説明に供する平面図である。
【図１６】映像コンテンツにおける拡大、縮小に係る表示切り換えの説明に供する平面図である。
【図１７】静止画に係る表示切り換えの説明に供する平面図である。
【図１８】フォーカスの切り換えの説明に供する平面図である。
【図１９】音楽コンテンツの表示切り換えの説明に供する平面図である。
【図２０】チュートリアル画面を示す平面図である。
【発明を実施するための形態】
【００１５】
以下、適宜図面を参照しながら本発明の実施例を詳述する。
【実施例１】
【００１６】
（１）実施例の構成
（１−１）車載装置の全体構成
図１は、本発明の実施例に係る車載装置１に係るコンテンツ提供システムを示す斜視図である。この車載装置１は、ナビゲーション装置の機能と、オーディオ、ビデオを再生するコンテンツ提供装置の機能とを有するマルチメディア端末であり、所定厚みによる板形状により形成され、矢印Ａにより示すように、車両のセンタコンソールに設けられた車載用クレードル２Ａにセットして使用できるようになされている。
【００１７】
このためこの車載装置１においては、下側端面に各種データの入出力に係る端子等が設けられ、車載用クレードル２Ａにセットした場合には、この下側端面の端子により車載用クレードル２Ａに接続されて電源の供給等を受け、さらに動作に必要な各種のデータ等を入出力できるようになされている。
【００１８】
また車載装置１は、この車載用クレードル２Ａから取り外して持ち帰り、矢印Ｂにより示すように、例えば家庭に設けられた家庭用クレードル２Ｂにセットすることにより、この家庭用クレードル２Ｂを介してコンピュータ３、テレビジョン受像機４に接続できるように構成される。
【００１９】
車載装置１は、このような家庭用クレードル２Ｂを介したコンピュータ３との接続においては、マルチメディア端末としての動作に必要な各種ファイルのアップロード、ダウンロードに供される。このためコンピュータ３においては、この車載装置１に対応するアプリケーションプログラムの起動により、家庭用クレードル２Ｂを介してコンピュータ３に保持された所定のファイルを車載装置１にアップロードし、またこれとは逆に車載装置１から所定のファイルをダウンロードできるようになされている。この車載装置１においては、このようなアップロード、ダウンロードに供するファイルとして、ＡＶコンテンツに係るファイル、電子メール、ナビゲーションに供する地図のファイルが適用され、さらにＡＶコンテンツに係るファイルとしては、映画、テレビ番組等のファイル、音楽ファイルが適用されるようになされている。
【００２０】
これに対して家庭用クレードル２Ｂを介したテレビジョン受像機４との接続においては、マルチメディア端末として各種コンテンツをテレビジョン受像機４を介してユーザーに提供できるようになされ、さらにはテレビジョン受像機４に地図を表示してナビゲーションの機能に係るルート検索等の処理を実行できるようになされている。
【００２１】
これらのためこの車載装置１は、車載時にコンテンツ等を表示する表示画面１１が正面に形成され、この表示画面１１の右側、上方に電源スイッチ１２が設けられる。またこの電源スイッチ１２とは逆側の操作パネルに、上方より、順次、ソース、プログラム、メニュー、ディスプレイ、地図、音量の操作子１３Ｐ〜１８Ｐが設けられるようになされている。
【００２２】
図２は、この車載装置１を関連する構成と共に示すブロック図である。車載装置１は、車載用クレードル２Ａを介して、外部ユニット２１に接続される。ここでこの外部ユニット２１は、例えば座席の下に設けられ、チュナー部２３、光ディスクドライブ２４等が設けられる。
【００２３】
ここでチュナー部２３は、車載装置１の制御により、テレビジョン放送波、道路交通情報通信システム（ＶＩＣＳ：  Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ  ）に係る交通情報を受信し、受信結果に係るビデオデータ、オーディオデータ、交通情報を車載用クレードル２Ａに出力する。これによりこの車載装置１では、車載用クレードル２Ａにセットして、テレビジョン放送を楽しむことができるようになされ、また交通情報を取得してユーザーに通知できるようになされている。
【００２４】
光ディスクドライブ２４は、同様の車載装置１の制御により、ＤＶＤ（Ｄｉｇｉｔａｌ  Ｖｅｒｓａｔｉｌｅ  Ｄｉｓｋ）、コンパクトディスク等の光ディスクを再生してビデオデータ、オーディオデータを車載用クレードル２Ａに出力する。これによりこの車載装置１は、車載用クレードル２Ａにセットして、ＡＵＸ入力により各種光ディスクによるＡＶコンテンツを楽しむことができるようになされている。
【００２５】
これに対して車載用クレードル２Ａは、ＧＰＳ部２２、オーディオの出力部２７が設けられる。ここでＧＰＳ部２２は、ＧＰＳ（Ｇｌｏｂａｌ  Ｐｏｓｉｔｉｏｎｉｎｇ  Ｓｙｓｔｅｍ  ）に係る現在位置検出装置であり、車載装置１の制御により、現在位置を検出して出力する。これにより車載装置１では、車載用クレードル２Ａにセットした場合には、このＧＰＳ部２２で検出される現在位置の情報によりナビゲーションの処理を実行できるようになされている。
【００２６】
出力部２７は、この車載装置１からオーディオデータ、音声データを取得し、これらデータをアナログ信号に変換してＦＭ放送波により、さらには外部出力端子を介して出力する。これにより車載装置１においては、車載用クレードル２Ａにセットされた場合には、この出力部２７からの有線、無線によるオーディオ出力によりこの車載装置１が搭載されている車両のカーオーディオ装置２８にオーディオ信号、音声信号を出力し、このカーオーディオ装置２８を介してオーディオ信号及び音声信号を出力するようになされている。
【００２７】
なお家庭用クレードル２Ｂにおいては、同様の出力部が設けられ、このようなオーディオ信号、音声信号、ビデオ信号を有線により出力できるように構成され、これにより車載装置１をセットしてテレビジョン受像機４により各種ＡＶコンテンツを提供できるようになされている。
【００２８】
これらにより車載装置１では、車載用クレードル２Ａへのセットによりこの車載用クレードル２Ａのインターフェース２５に接続されて、このインターフェース（Ｉ／Ｆ）２５との間で外部ユニット２１に係る各種のデータを入出力するインターフェース２６が設けられるようになされている。
【００２９】
しかしてこのインターフェース２６は、コントローラ３３の制御により動作し、この車載装置１が車載用クレードル２Ａにセットされた場合、外部ユニット２１との間で種々のデータを入出力し、またこの入出力に係るデータをバスＢＵＳとの間で入出力するようになされている。これに対してこの車載装置１が家庭用クレードル２Ｂにセットされた場合、コンピュータ３との間でアップロード、ダウンロードに係るデータを入出力するようになされている。
【００３０】
また車載装置１において、インターフェース（Ｉ／Ｆ）３１は、コントローラ３３の制御により、この車載装置１の側面に設けられたカードスロットから挿入されるメモリカード３２との間で種々のデータを入出力し、またこのデータをバスＢＵＳとの間で入出力する。これにより車載装置１では、メモリカード３２を介して例えば電子スチルカメラで取得した静止画を取り込むことができるようになされ、またこれとは逆に取り込んだ静止画をメモリカード３２に記録できるようになされている。
【００３１】
通信ユニット３４は、無線通信ＬＡＮ（Ｌｏｃａｌ  Ａｒｅａ  Ｎｅｔｗｏｒｋ）に係る送受信装置であり、コントローラ３３の制御によりバスＢＵＳに出力されるデータをネットワークに送出し、またネットワークを介して所望するデータを取得してバスＢＵＳに出力する。これによりこの車載装置１では、この通信ユニット３４を介してインターネットに接続し、また電子メールを送受できるようになされている。
【００３２】
ハードディスク装置（ＨＤＤ）３５は、この車載装置１の処理に係るプログラム、コンテンツ等を記録して保持し、コントローラ３３の制御によりこれらのデータをバスＢＵＳに出力する。これによりハードディスク装置３５は、インターフェース２６、３１を介して外部機器から入力される各種ファイルのデータ、通信ユニット３４を介して取得した各種のデータ、これら外部機器に出力するデータ、電子メールに係るデータ等を保持し、必要に応じてバスＢＵＳに出力するようになされている。なおこのプログラムにおいては、事前のインストールにより提供されるようになされているものの、これに代えて、インターフェース２６、３１を介した記録媒体からのダウンロードにより、又は通信ユニット３４を用いたネットワークからのダウンロードによりハードディスク装置３５に記録するようにしてもよい。なおこの場合、記録媒体においては、光ディスク、メモリカード、磁気テープ等、種々の記録媒体を広く適用することができる。
【００３３】
表示部３７は、図１について上述した表示画面１１を形成する例えば液晶表示装置により構成され、コントローラ３３の制御により各種コンテンツ、地図等を表示する。
【００３４】
入力部３８は、この表示画面１１に配置されたタッチパネル３９による操作を検出するタッチパネルに係る構成、リモートコマンダー４０から出力される遠隔制御信号を受信する受信部４１、ソース、プログラム等の操作子１３Ｐ〜１８Ｐの操作を検出するインターフェースにより構成され、これらで検出されるユーザーによる操作をコントローラ３３に通知する。これによりこの車載装置１では、表示画面１１の側方に設けられた操作子１３Ｐ〜１８Ｐの操作により、表示画面１１に設けられたタッチパネル３９の操作により、さらにはリモートコマンダー４０の操作により、動作の切り換え等を実行できるようになされている。
【００３５】
しかしてリモートコマンダー４０は、車載装置１に設けられた操作子１３Ｐ〜１８Ｐに対応する操作子、表示画面１１におけるメニューの選択に係るスクロール等の操作子が設けられ、これら操作子の操作に応動して赤外線による遠隔制御信号を出力するようになされている。
【００３６】
（１−２）コントローラ
コントローラ３３は、演算処理手段であり、入力部３８を介して検出されるリモートコマンダー３５等の操作に応動してハードディスク装置３５に記録されたプログラムを実行することにより、ユーザーの操作に応動してナビゲーションの処理を実行し、また各種コンテンツをユーザーに提供する。
【００３７】
すなわちコントローラ３３は、ユーザーによりテレビジョン放送の受信が指示されると、インターフェース２６、２５を介してチュナー部２３にテレビジョン放送の受信を指示し、またユーザーによる指示に応動して受信チャンネルの切り換えを指示する。またこのようにしてチュナー部２３で受信して得られるビデオデータ及びオーディオデータをインターフェース２６を介して入力し、ビデオデータについては表示部３７に表示する。またオーディオデータについては出力部２７を介してカーオーディオ装置２８に出力する。これによりテレビジョン放送に係るコンテンツをユーザーに提供するようになされている。
【００３８】
またユーザーによりハードディスク装置３５に記録された映像コンテンツの鑑賞が指示されると、映像コンテンツに係るファイルの再生をハードディスク装置３５に指示し、テレビジョン放送を受信する場合と同様にハードディスク装置３５から出力されるビデオデータ及びオーディオデータをユーザーに提供する。またユーザーによりハードディスク装置３５に記録された音楽コンテンツの再生が指示されると、同様にして音楽コンテンツの再生をハードディスク装置３５に指示し、ハードディスク装置３５から出力されるオーディオデータを出力部２７から出力する。またこれらの処理において、再生対象のコンテンツの切り換えがユーザーにより指示されると、ハードディスク装置３５から読み出すファイルを変更して同様の処理を繰り返す。
【００３９】
またユーザーにより地図の表示が指示されると、ＧＰＳ部２２から現在位置の情報を取得し、この現在位置の情報を基準にしてハードディスク装置３５に記録した地図データをロードする。またこのロードした地図データにより表示部３７で地図を表示する。またＡＵＸ入力に係るコンテンツの視聴が指示されると、インターフェース２６を介して光ディスクドライブ２４の動作を制御し、光ディスクドライブ２４から出力される映像コンテンツ、音楽コンテンツに係るデータを取得する。またこの取得した映像コンテンツ、音楽コンテンツのデータを各部で処理し、これらのコンテンツをユーザーに提供する。またユーザーの指示により、このようにして得られるコンテンツをハードディスク装置３５に記録する。
【００４０】
またインターネットの閲覧が指示されると、ブラウザソフトを起動して通信ユニット３４によりインターネットに接続し、通信ユニット３４より得られる映像等を表示部３７で表示し、また音声データを出力部２７により出力する。また電子メールに係る処理が指示されると、メーラーを起動してハードディスク装置３５に保持された電子メールを表示部３７で表示し、またこのような表示に供する電子メールを通信ユニット３４を介して取得する。またユーザーによる電子メールの入力を受け付け、この電子メールを通信ユニット３４を介して送信する。
【００４１】
また静止画の閲覧が指示されると、インターフェース３１を介してメモリカード３２をアクセスすることにより、またハードディスク装置３５をアクセスすることにより、処理対象に係る静止画ファイルを取得し、この静止画ファイルに係る静止画を表示部３７で表示する。またユーザーによる指示によりこのような静止画ファイルをメモリカード３２、ハードディスク装置３５との間で入出力し、さらにはメモリカード３２、ハードディスク装置３５の記録より削除する。
【００４２】
またユーザーによりナビゲーションの処理が指示されると、ユーザーにより目的地等の入力を受け付け、またＧＰＳ部２２から現在位置の情報を取得し、これらの情報によりルート検索の処理を実行する。コントローラ３３は、このようにして検出したルートによりユーザーを道案内するように、ユーザーの設定に応じて各種の情報を出力する。
【００４３】
これらの処理においてコントローラ３３は、ユーザーによるリモートコマンダー４０、タッチパネル３９の操作に応動してメニューを表示してユーザーにより各種の操作を受け付ける。すなわち図３は、このコントローラ３３の制御により表示画面１１に表示されるタッチパネル用のプログラムメニュー画面を示す平面図である。ここでこのタッチパネル用のプログラムメニュー画面は、タッチパネル３９の操作に適したメニュー画面であり、この実施例では、このタッチパネル用のプログラムメニュー画面の他に、タッチパネル用のプログラムメニュー画面と同一の機能を担い、かつリモートコマンダー４０の操作に適したリモートコマンダー用のプログラムメニュー画面が別途、用意されるようになされている。コントローラ３３は、プログラムメニュー画面の表示を指示するユーザーによる操作が、タッチパネル３９による操作を意図したものであると判断できる場合、このタッチパネル用のプログラムメニュー画面を表示する。またプログラムメニュー画面の表示を指示するユーザーによる操作が、リモートコマンダー４０による操作を意図したものであると判断できる場合、リモートコマンダー用のプログラムメニュー画面を表示する。
【００４４】
ここでプログラムメニュー画面は、ユーザーに提供するコンテンツ等の選択に係るメインメニュー画面であり、この車載装置１において選択可能なアプリケーションのメニューを表示して形成される。ここでプログラムメニュー画面は、テレビジョン放送の受信を指示するＴＶによるメニューＭ１、ハードディスク装置３５に記録された映像コンテンツの再生を指示するＶｉｄｅｏによるメニューＭ２、ハードディスク装置３５に記録された音楽コンテンツの再生を指示するＡｕｄｉｏによるメニューＭ３、地図表示を指示するＭａｐによるメニューＭ４、ＡＵＸ入力に係るコンテンツの再生を指示するＡＵＸによるメニューＭ５、インターネットに係るブラウザの起動を指示するＷＥＢによるメニューＭ６、電子メールに係る処理を指示するＭａｉｌによるメニューＭ７、静止画に係る処理を指示するＰｈｏｔｏによるメニューＭ８が表示される。またこのプログラムメニュー画面の直前の状態に戻るのメニューＭ１１が表示される。
【００４５】
このタッチパネル用のプログラムメニュー画面は、これらのメニューＭ１〜Ｍ１１のうち、アプリケーションの選択に係るメニューＭ１〜Ｍ８が同一の大きさにより、また何れのメニューＭ１〜Ｍ８にもフォーカスを示すカーソル等を設けないで、整列して表示され、これによりこれらのメニューＭ１〜Ｍ８の何れをもタッチパネル３９の操作により選択できるように、ユーザーに知覚させるようになされている。コントローラ３３は、このプログラムメニュー画面において、タッチパネル３９の操作により何れかのメニューＭ１〜Ｍ８が選択されると、対応する処理を実行するように全体の動作を制御する。またこのプログラムメニュー画面を表示した状態で戻るのメニューＭ１１が操作されると、直前の表示に切り換える。
【００４６】
これに対してリモートコマンダー用のプログラムメニュー画面は、この図３に示すプログラムメニュー画面と同一のメニューを、リモートコマンダー４０による選択操作に適するように配置して形成される。コントローラ３３は、このリモートコマンダー用のプログラムメニュー画面において、ユーザーによる操作に応動してフォーカスを切り換え、さらにはフォーカスされているメニューに係るアプリケーションを実行して全体の動作を制御する。
【００４７】
またコントローラ３３は、このようなプログラムメニュー画面による選択に代えて、操作パネルに設けられたソースの操作子１３Ｐ、リモートコマンダー４０に設けられた対応する操作子の操作によっても、メニューＭ１、Ｍ２、Ｍ３に係るアプリケーションプログラムについては、選択的に動作を立ち上げるようになされている。なおこの場合コントローラ３３は、いわゆるラストメモリにより直前の設定によりこれらメニューＭ１、Ｍ２、Ｍ３に係るアプリケーションプログラムを選択的に立ち上げ、これにより例えば直前の電源立ち下げ時に、テレビジョン放送を視聴していた場合には、これら操作子の操作によりテレビジョン放送の受信を開始するようになされている。またこのようにしてメニューＭ１、Ｍ２、Ｍ３に係るアプリケーションプログラムの何れかを実行している状態で、これらの操作子が再び操作されると、これらのメニューＭ１、Ｍ２、Ｍ３に係る実行中のアプリケーションプログラムを中止して続くアプリケーションプログラムを開始し、これによりこれらの操作子の操作に応動して順次循環的にメニューＭ１、Ｍ２、Ｍ３に係るアプリケーションプログラムを切り換えて実行するようになされている。
【００４８】
また同様に、コントローラ３３は、このようなプログラムメニュー画面による選択に代えて、操作パネルに設けられた地図の操作子１７Ｐ、リモートコマンダーに設けられた対応する操作子によっても、メニューＭ４に係るアプリケーションプログラムを立ち上げるようになされている。
【００４９】
このようなアプリケーションプログラムの起動において、コントローラ３３は、メニューＭ１、Ｍ２、Ｍ３に係るアプリケーションプログラム間では、何れかのアプリケーションプログラムの起動の指示により実行中のアプリケーションプログラムを終了するのに対し、他のメニューＭ４〜Ｍ８に係るアプリケーションプログラムについては、実行中のアプリケーションプログラムを終了することなく継続して実行する。これによりこの実施例においては、例えば地図を表示してナビゲーションの処理を実行しながら、テレビジョン放送等を楽しむことができるようになされている。
【００５０】
図４は、地図の表示画面を示す平面図である。コントローラ３３は、プログラムメニュー画面において、地図に係るメニューＭ４が選択されると、さらには操作パネルの地図の操作子１７Ｐ、リモートコマンダーの対応する操作子が操作されると、現在位置の周辺地図を表示する。また画面の上端の帯状の領域にこの地図の表示に関連する情報Ｄ１を表示する。また事前にユーザーがナビゲーションの処理を指示している場合、この帯状の領域に併せてナビゲーションに関する情報を表示する。
【００５１】
しかしてこの事前の設定においては、パネルに設けられたメニューの操作子１５Ｐ、リモートコマンダー４０に設けられた対応する操作子の操作により、図５に示す階層構造のメニュー画面を表示して実行される。ここでこの表示画面においては、左側にこのメニュー画面における最も上位階層のメニューである目的地入力用のメニュー等が表示され、この最も上位階層のメニューの選択により、中央に、対応する下位階層のメニューが表示される。またこの中央のメニューの選択により、最も右端にさらに下位階層のメニューが表示される。図４は、最も上位階層のメニューにおいて、場所のメニューが選択され、続いてこの場所のメニューに対応する下位階層でジャンルのメニューが選択された状態を示すものである。コントローラ３３は、この階層構造によるメニューの選択により目的地の入力を受け付け、現在位置からこの目的地までのルート検索の処理を実行し、このルートによりユーザーを道案内するようになされている。
【００５２】
車載装置１では、このメニューの操作子に係るメニュー画面において、設定のメニューを選択して下位階層のメニューを選択することにより、帯状の領域の表示／非表示の設定、２画面表示、この２画面表示における分割比の設定、地図の２次元表示、３次元表示等、地図の表示形態等を種々に設定できるようになされている。しかして図４に示す表示例は、このメニュー画面の設定によりナビゲーションの処理を実行している場合である。
【００５３】
コントローラ３３は、この地図の表示画面において、画面の上端の帯状の領域の左側端に、現在表示中の地図のスケールを表示する。またＶＩＣＳによる渋滞情報を取得できるように現在設定されている受信周波数、現在時刻を表示する。また続いてナビゲーションに係る情報である、目的地までの距離、予測される目的地の到着時刻が表示される。また現在位置に係る情報が、交差点を示す＋のマークと地名により表示される。これによりユーザーがナビゲーションの処理を指示していない場合、この帯状の領域においては、ナビゲーションに係る情報の表示が中止される。
【００５４】
コントローラ３３は、このようにして地図の表示に関連する情報Ｄ１を表示して、タッチパネル３９の操作によりスケールに係る表示（１００ｋｍの表示である）が操作されると、図６に示すように、切り換え可能なスケールのメニューＭＭ１、広域、詳細のメニューＭＭ２、ＭＭ３を表示し、タッチパネル３９の操作によりスケールのメニューＭＭ１が選択されると、地図表示の縮尺を切り換える。また広域、詳細のメニューＭＭ２、ＭＭ３が選択されると、スケールのメニューＭＭ１の設定に従って、地図表示の縮尺を順次段階的に切り換える。これによりコントローラ３３は、タッチパネル３９の操作によりメニューを表示し、このメニューの操作により地図表示の縮尺を可変するようになされている。これに対してリモートコマンダー４０でズームアップ、ズームダウンの操作子が操作されると、それぞれ広域、詳細のメニューＭＭ２、ＭＭ３が選択された場合と同様に地図表示のスケールを順次段階的に切り換える。
【００５５】
これに対してこのようにして地図を表示した状態で、ユーザーによるタッチパネル３９の操作が検出され、図７（Ｂ１）において符号Ｂにより示すように、この操作により時計回りの円弧を描く軌跡が検出された場合、コントローラ３３は、図７（Ａ）との対比により図７（Ｃ）により示すように、スケールのメニューＭＭ１、広域、詳細のメニューＭＭ２、ＭＭ３を表示して詳細のメニューＭＭ３が選択された場合と同様に、地図表示の縮尺を拡大する。またこれとは逆に、図７（Ｂ２）において符号Ａにより示すように、この操作により反時計回りの円弧を描く軌跡が検出された場合、コントローラ３３は、図７（Ｃ）との対比により図７（Ａ）により示すように、スケールのメニューＭＭ１、広域、詳細のメニューＭＭ２、ＭＭ３を表示して広域のメニューＭＭ２が選択された場合と同様に、地図表示の縮尺を低減する。これによりコントローラ３３は、メニューの操作に依らなくても、感覚的なタッチパネル３９の操作により地図表示の縮尺を種々に変更できるようになされ、その分、ユーザーの使い勝手を向上するようになされている。なおこの図７においては記載を省略したが、このような軌跡の検出により地図表示の縮尺を可変する場合、コントローラ３３は、縮尺を切り換えて一定時間、スケールのメニューＭＭ２、ＭＭ３を表示するようになされ、これによりメニューの操作により縮尺を切り換えた場合と表示の統一を図り、ユーザーの混乱を防止するようになされている。
【００５６】
これに対して図８（Ａ）において符号Ｃにより示すように、ユーザーによるタッチパネル３９の操作が四角形の形状を描く軌跡の場合、図８（Ｂ）に示すように、コントローラ３３は、この四角形の形状の軌跡の中心を基準にして、地図の表示中に、子画面を表示する。コントローラ３３は、地図に係るアプリケーションプログラムのみを実行している場合にあって、それまで２次元表示により地図を表示している場合、この子画面に３次元表示による地図を表示する。またこれとは逆に、地図に係るアプリケーションプログラムのみを実行している場合にあって、それまで３次元表示による地図を表示している場合、この子画面に２次元表示により地図を表示する。また例えばテレビジョン放送の受信等に係る他の映像コンテンツにアプリケーションプログラムを同時並列的に実行している場合、この他の実行中のアプリケーションプログラムに係る表示をこの子画面に表示する。なおここで２次元表示とは、通常の地図の表示に係る上空より真下の地上を眺めた形式による表示である。これに対して３次元表示とは、視点を上方に移動した場合には鳥瞰図の形式となる道路の高低、建築物の高さ等を含めた立体的な表示である。
【００５７】
しかしてこのような子画面をメニューの操作により表示する場合、この実施例においては、図５について上述したメニュー画面、下位階層のメニュー画面を表示してメニューを選択しなければならない。これによりこの実施例においては、このような階層構造によるメニューの操作に加えて、表示に供する子画面の外形形状をタッチパネル３９による軌跡により入力することによっても子画面表示できるようになされている。
【００５８】
ここでこのような四角形の形状を描く軌跡が検出された場合、ユーザーにより子画面の外形形状が入力された場合であり、このタッチパネル３９による入力が子画面の表示を求める仕草であると言える。これによりこの実施例では、タッチパネル３９を用いた指によるジェスチャーにより、メニュー画面を表示して特定のメニューが選択された場合と同一に表示を切り換えることができるようになされ、その分、ユーザーの使い勝手を向上するようになされている。なおここでジェスチャーとは、ユーザーが指等によりタッチパネル上に軌跡を形成する操作することであり、しかしてこの場合、このユーザーによるジェスチャーにあっては、表示の切り換え結果を示すことになる。
【００５９】
さらにコントローラ３３は、このようにして子画面を表示して、タッチパネル３９によりユーザーの操作が検出され、図８（Ｂ）において符号Ｄ１、Ｄ２、Ｄ３、Ｄ４により示すように、この操作により親画面又は子画面から表示画面１１の表示エリア外への軌跡が検出された場合、これら親画面又は子画面の表示を中止する。またこのとき親画面の表示を中止した場合には、子画面を全面に表示する。なおそれまでの親画面及び子画面の表示に係るアプリケーションプログラムが、異なるアプリケーションプログラムの場合、表示を中止したアプリケーションプログラムの実行をバックグラウンドにより継続する。
【００６０】
しかしてこの場合も、親画面、子画面の表示中止をメニューの操作により実行する場合、この実施例においては、図５について上述したように、階層構造によるメニューの操作により実行することになる。これに対して親画面又は子画面から表示画面１１の表示エリア外への軌跡にあっては、ユーザーが親画面又は子画面を指で触れて、この指で触れた親画面又は子画面を表示画面から取り外すような仕草であると言える。これによりこの実施例では、この場合も、ユーザーのイメージする表示の切り換えをタッチパネル３９を用いて指によるジェスチャーで入力することができるようになされ、その分、ユーザーの使い勝手を向上するようになされている。しかしてこの場合、このユーザーによるジェスチャーにあっては、表示画面における表示の遷移を示すことになる。
【００６１】
これに対してこのようにして子画面を表示して、タッチパネル３９によりユーザーの操作が検出され、図８（Ｂ）において符号Ｅ１により示すように、この操作により子画面の表示エリアから親画面の表示エリアへの軌跡が検出された場合、これとは逆に図８（Ｂ）において符号Ｅ２により示すように、この操作により親画面の表示エリアから子画面の表示エリアへの軌跡が検出された場合、コントローラ３３は、図８（Ｂ）との対比により図８（Ｃ）に示すように、親画面と子画面とで表示内容を入れ換える。
【００６２】
しかしてこの場合も、親画面、子画面の表示中止をメニューの操作により実行する場合、この実施例においては、図５について上述したように、階層構造によるメニューの操作により実行することになる。これに対して子画面の表示エリアから親画面の表示エリアへの軌跡が検出された場合、ユーザーが子画面を指で触れて親画面に移動させた場合であり、これとは逆に親画面の表示エリアから子画面の表示エリアへの軌跡が検出された場合、ユーザーが親画面を指で触れて子画面に移動させた場合であり、これらは親画面と子画面とを入れ換える仕草であると言える。これによりこの実施例では、この場合も、ユーザーのイメージする表示の切り換えをタッチパネル３９を用いて指によるジェスチャーで入力することができるようになされ、その分、ユーザーの使い勝手を向上するようになされている。しかしてこの場合、このユーザーによるジェスチャーにあっては、表示画面における表示の遷移を示すことになる。
【００６３】
これに対して２次元表示による親画面のみを表示して、タッチパネル３９によりユーザーの操作が検出され、図９（Ｂ１）により示すように、この操作により数字の３を描く軌跡が検出された場合、図９（Ａ）との対比により図９（Ｃ）に示すように、この２次元表示を３次元表示に切り換える。またこれとは逆に３次元表示による親画面のみを表示して、タッチパネル３９によりユーザーの操作が検出され、図９（Ｂ２）により示すように、この操作により数字の２を描く軌跡が検出された場合、図９（Ｃ）との対比により図９（Ａ）に示すように、この３次元表示を２次元表示に切り換える。
【００６４】
しかしてこの場合も、このような表示の切り換えをメニューの操作により実行する場合、この実施例においては、図５について上述したように、階層構造によるメニューの操作により実行することになる。しかしながらこのようにして検出されるユーザーによるタッチパネル３９による入力にあっては、２次元表示、３次元表示を求める仕草であると言え、これによりこの場合もユーザーのイメージする表示の切り換えをタッチパネル３９を用いて指によるジェスチャーで入力することができるようになされ、その分、ユーザーの使い勝手を向上するようになされている。しかしてこの場合、このユーザーによるジェスチャーにあっては、表示の切り換え結果を示すことになる。
【００６５】
これに対して親画面のみを表示して、タッチパネル３９によりユーザーの操作が検出され、図１０（Ｂ）において矢印Ｆにより示すように、この操作により画面のほぼ中央から外側へのほぼ直線による軌跡が検出され、この軌跡の終点でユーザーによるタッチパネルの押圧が継続している場合、図１０（Ａ）との対比により図１０（Ｃ）に示すように、この軌跡の方向に地図の表示をスクロールさせる。この場合、コントローラ３３は、ユーザーがタッチパネル３９の押圧を継続している間、スクロールを継続させる。
【００６６】
しかしてこの場合にあっても、ユーザーによるタッチパネル３９による入力は、視点の移動を求める仕草であると言える。これによりこの場合も、ユーザーのイメージする表示の切り換えをタッチパネル３９を用いた指によるジェスチャーにより入力することができるようになされ、その分、ユーザーの使い勝手を向上するようになされている。
【００６７】
これに対して親画面のみを表示して、タッチパネル３９によりユーザーの操作が検出され、図１１（Ｂ）において矢印Ｇより示すように、この操作により画面を左右にほぼ２等分する軌跡が検出された場合、図１１（Ａ）との対比により図１１（Ｃ）に示すように、画面を左右に２等分して右側領域に地図を表示する。また残る左側領域に、道路情報を表示する。しかしてこの図１１に示す例では、進路上の目印が順次表示されるようになされている。
【００６８】
しかしてこの場合も、このような表示の切り換えをメニューの操作により実行する場合、この実施例においては、図５について上述したように、階層構造によるメニューの操作により実行することになる。しかしながらこのようにして検出されるユーザーによるタッチパネル３９による入力にあっては、画面の２分を求める仕草であると言える。これによりこの場合もユーザーのイメージする表示の切り換えをタッチパネル３９を用いた指によるジェスチャーにより入力することができるようになされ、その分、ユーザーの使い勝手を向上するようになされている。
【００６９】
なおコントローラ３３は、親画面及び子画面を表示して、それぞれ親画面及び子画面で図８について上述した時計回り及び反時計回りの軌跡が検出された場合、さらには図１０に示す地図のスクロールを指示する軌跡が検出された場合、それぞれ親画面及び子画面の表示について、表示の縮尺を可変し、さらには地図の表示をスクロールするようになされ、これによっても使い勝手を向上するようになされている。
【００７０】
図１２（Ａ）は、このような指示により表示されるビデオのメニューＭ２に係るメイン画面を示す平面図である。コントローラ３３は、この場合、表示画面の下側、帯状の部位を除いた領域にコンテンツの画像を表示する。このときコントローラ３３は、最後に再生したこのメニューＭ２に係るファイル、このファイルの再生状態等を記録して保持し（いわゆるラストメモリである）、この記録に基づいて再生を中止した箇所より対応するコンテンツを再生してユーザーに提供する。これによりこの車載装置１では、鑑賞を中止した箇所から簡易に所望するコンテンツを鑑賞できるようになされている。
【００７１】
これに対してこの表示画面の下端には、このアプリケーションに係る各種のメニューが、表示中の画像に関連する情報と共に帯状の領域に表示される。なお、以下においては、この帯状の表示をコントロールバーと呼ぶ。具体的に、コントロールバーＢ１は、最も左側に、このアプリケーションの終了を指示し、かつ戻るのメニューを兼用するＯＦＦのメニューＭ２１が表示される。コントローラ３３は、タッチパネル３９によるこのＯＦＦのメニューＭ２１の操作によりこのアプリケーションを終了させ、タッチパネル用のプログラムメニュー画面に表示を切り換える。またコントロールバーＢ１は、続いて表示中のコンテンツの属性情報であるタイトルが表示される。またコントロールバーＢ１は、続いて各種の操作メニューが右寄せにより表示される。
【００７２】
ここでこの操作メニューにおいては、巻き戻しのメニューＭ２２、前のチャプタに戻るメニューＭ２３、再生／一時停止の切り換えメニューＭ２４、次のチャプタに進むメニューＭ２５、早送りのメニューＭ２６、リスト表示のメニューＭ２７、このコントロールバーＢ１の表示／非表示の切り換えメニューＭ２８が順次表示される。コントローラ３３は、これらタッチパネル３９の操作により各メニューＭ２１〜Ｍ２８の選択を受け付け、さらにはリモートコマンダー４０の操作によりメニューＭ２１〜Ｍ２８でフォーカスを切り換えてメニューの選択を受け付け、このユーザーによるメニューの選択に対応するように、各部の動作を制御する。
【００７３】
これらのメニューＭ２１〜Ｍ２８に係る制御において、コントローラ３３は、ユーザーがリスト表示のメニューＭ２７を選択した場合、全体の表示を図１２（Ｂ）に示すリストメニュー画面に切り換える。ここでこのリストメニュー画面は、ユーザーにより選択可能なコンテンツ等の一覧表示であり、画面上部に、アプリケーションを特定するタイトルが表示され、このタイトルの表示の右隅に、このアプリケーションに係る各種設定を実行する設定のメニューＭ２７５が表示される。また画面左側に、順次、戻るのメニューＭ２７１、キャビネットのメニューＭ２７２、プレイリストのメニューＭ２７３、ビデオカプセルのメニューＭ２７４が設けられる。ここでキャビネットのメニューＭ２７２は、いわゆるフォルダの一覧表示を指示するメニューであり、このメニューＭ２７２の選択により右側の一覧表示に選択可能なフォルダの一覧が表示される。またプレイリストのメニューＭ２７３は、このようなフォルダの一覧等により現在選択されているフォルダについて、選択可能なコンテンツの一覧表示を指示するメニューであり、このメニューの選択により右側の一覧表示に選択可能なコンテンツの一覧が表示される。またビデオカプセルのメニューＭ２７４は、一覧表示されているコンテンツの１つについて、サムネイル画像の表示を指示するメニューである。
【００７４】
このリストメニュー画面には、中央に、このサムネイル画像を表示する領域が設けられ、ビデオカプセルのメニューＭ２７４が選択されていない場合には、この領域に再生中のコンテンツが表示される。またこのリスト画面には、このサムネイル画像の表示領域の右側に、左側に配置した上位階層のメニューＭ２７１〜Ｍ２７４に対して、対応する下位階層のメニューが表示される。具体的には、ユーザーにより選択されたメニューＭ２７１〜Ｍ２７４に対応するコンテンツ、フォルダの一覧表示が形成される。なおこのリスト画面を表示した直後においては、この一覧表示の現在再生中のコンテンツのメニューを含む一覧が表示される。ここでこの一覧表示においては、各コンテンツのタイトル、フォルダに設定した名称をメニューに表示して形成される。しかして図１２（Ｂ）の例では、この一覧がプレイリストのメニューＭ２７３に係るコンテンツの一覧を表示している場合である。
【００７５】
コントローラ３３は、この一覧の表示領域に選択可能なコンテンツ、フォルダ一覧を表示しきれない場合、この一覧表示のスクロールにより選択可能なコンテンツ、フォルダを表示し、またスクロール可能な方向をこの一覧の左側に矢印により表示する。しかして図１２（Ｂ）の例では、上下方向の矢印が設けられて、表示領域を上下にはみだしてコンテンツの一覧表が存在していることが示されるようになされている。
【００７６】
またこの場合、コントローラ３３は、この一覧表示の右側に、スクロールバーＢ２を表示し、またこのスクロールバーＢ２の上下に、上下方向へのスクロールをそれぞれ指示するメニューＭＵ、ＭＤを表示する。またこのリスト画面には、画面下部に、コントロールバーＢ１が表示される。なおこの一覧においては、フォーカスされているメニューを左側に飛び出させて表示するようになされている。
【００７７】
コントローラ３３は、タッチパネル３９によるこれらメニューＭ２７１〜Ｍ２７５、コントロールバーＢ１のメニューの選択により、ユーザーにより選択されたメニューに対応するように各部の動作を制御して一覧表示等を切り換える。すなわちタッチパネル３９の操作によりこのようにして表示してなる一覧表示の１つをユーザーが選択すると、ユーザーにより選択されたコンテンツを再生対象に設定し、元の表示画面（図１２（Ａ））に戻る。このときユーザーによりビデオカプセルのメニューＭ２７４が選択されている場合には、このユーザーにより選択されたコンテンツの静止画をサムネイル画像の表示領域に表示し、この表示領域におけるユーザーのタッチパネル３９の操作により、又はタッチパネル３９による再度のこのコンテンツの選択により、ユーザーにより選択されたコンテンツを再生対象に設定し、元の表示画面に戻る。また同様のタッチパネル３９によるユーザーの選択に応動して、ユーザーの選択したフォルダについて、プレイリストのメニューＭ２７３の選択により、コンテンツの一覧を表示する。
【００７８】
これに対してこのコンテンツ選択用の画面において、スクロールバーＢ２、メニューＭＵ、ＭＤの操作が検出されると、この操作により一覧表示をスクロールさせる。すなわち上方向のスクロールを指示するメニューＭＵが操作されると、一覧表示を下方向にスクロールさせる。またこれとは逆に下方向へのスクロールを指示するメニューＭＤが操作されると、一覧表示を上方向にスクロールさせる。これに対してスクロールバーＢ２については、矢印Ｈにより示すように、タッチパネル３９の操作によりドラッグの操作が検出されると、ドラッグ操作された側に一覧表示をスクロールさせる。これによりこのように上位階層と下位階層とのメニューを同時に表示してメニューを表示しきれない場合でも、所望するメニューを確実に選択できるようになされている。しかして車載装置１においては、表示に供する画面の大きさが制限されることにより、コンテンツの数が多少増大しただけでも、このようにメニューを表示しきれない場合が発生し、これにより車載装置１に適用してユーザーの使い勝手を向上することができるようになされている。
【００７９】
コントローラ３３は、この一覧表の表示において、左側へ飛び出させてフォーカスが設定されているメニューを表示し、一覧表示のスクロールに応動して、フォーカスしているメニューをスクロールさせる。これによりコントローラ３３は、表示に供するコンテンツの数が少ない場合には、一覧表示のスクロールを中止してフォーカスだけをスクロールさせるようになされている。
【００８０】
これらによりこの車載装置１では、タッチパネル３９の操作により、さらにはリモートコマンダー４０の操作により、階層構造によるメニューを辿って所望するコンテンツのメニューを選択することにより、ハードディスク装置３５に蓄積した映像コンテンツから所望するコンテンツを選択して鑑賞できるようになされている。
【００８１】
これに対してこのようにして図１２について上述した映像コンテンツの表示画面において、ユーザーによるタッチパネル３９の操作が検出され、図１３において符号Ａ１により示すように、この操作により上方向への直線の軌跡が検出された場合、コントローラ３３は、再生対象のコンテンツをコンテンツの一覧表示にて表示する次のコンテンツに切り換える。またこれとは逆に、符号Ａ２により示すように、この操作により下方向への直線の軌跡が検出された場合、コントローラ３３は、再生対象のコンテンツをコンテンツの一覧表示にて表示する１つ前のコンテンツに切り換える。なおこの場合、図１４において符号Ｂ１により示すように、画面の中央を跨ぐ左側から右側への直線の軌跡により、再生対象を次のコンテンツに切り換えるようにしてもよく、また符号Ｂ２により示すように、画面の中央を跨ぐ右側から左側への直線の軌跡により、再生対象を１つ前のコンテンツに切り換えるようにしてもよい。
【００８２】
しかしてこの場合も、このようなコンテンツの表示の切り換えをメニューの操作により実行する場合、この実施例においては、図１１について上述したように、階層構造によるメニューの操作により実行することになる。これに対してこのような軌跡により検出されるユーザーによるタッチパネル３９による入力にあっては、前進、後ろに戻るとの仕草であると言える。これによりこの場合もユーザーのイメージする表示の切り換えをタッチパネル３９を用いた指によるジェスチャーにより入力するようになされ、その分、ユーザーの使い勝手を向上するようになされている。
【００８３】
これに対して映像コンテンツの表示画面において、ユーザーによるタッチパネル３９の操作が検出され、図１５において符号Ｃ１により示すように、この操作により画面の右半分において、右側への直線による短い軌跡が検出された場合、コントローラ３３は、コンテンツの再生をスローモーション再生に切り換える。これに対して符号Ｃ２により示すように、画面の右半分において、右側への直線による長い軌跡が検出された場合、コントローラ３３は、コンテンツの再生を早送り再生に切り換える。これに対して符号Ｃ３により示すように、画面の左半分において、左側への直線による短い軌跡が検出された場合、コントローラ３３は、コンテンツの再生をスローモーションによる巻き戻し再生に切り換える。これに対して符号Ｃ４により示すように、画面の左半分において、左側への直線による長い軌跡が検出された場合、コントローラ３３は、コンテンツの再生を巻き戻し再生に切り換える。
【００８４】
しかしてメニューの操作によりコンテンツの再生をこのように切り換える場合、コントロールバーＢ１の操作により実行することができるものの、この実施例においては、メニューＭ２８の操作によりコントロールバーＢ１の表示を中止している場合もあり、この場合には、コントロールバーＢ１を表示させてメニューを選択することになる。これに対して軌跡により検出されるユーザーによるタッチパネル３９による入力にあっては、前方向及び後ろ方向への仕草であり、また軌跡の長さにより再生速度を指示する仕草と言える。これによりこの実施例においては、映像コンテンツの再生速度、再生方向に係るユーザーのイメージする表示の切り換えをタッチパネル３９を用いた指によるジェスチャーにより入力することができるようになされ、その分、ユーザーの使い勝手を向上するようになされている。
【００８５】
これに対して映像コンテンツの表示画面において、このようにスローモーション再生、早送り再生、巻き戻し再生している状態で、ユーザーによるタッチパネル３９の操作が検出され、この操作が一定箇所を一定時間以上押圧する操作の場合、コントローラ３３は、コンテンツの再生を通常の再生に切り換える。これによっても映像コンテンツの再生に係るユーザーのイメージする表示の切り換えをタッチパネル３９を用いた指によるジェスチャーにより入力することができるようになされ、その分、ユーザーの使い勝手を向上するようになされている。
【００８６】
これに対して通常の再生状態でユーザーによるタッチパネル３９の操作が検出され、この操作が一定箇所を一定時間以上押圧する操作の場合、コントローラ３３は、図１２（Ｂ）について上述したメニュー画面を表示する。
【００８７】
これに対して映像コンテンツの表示画面において、ユーザーによるタッチパネル３９の操作が検出され、図１６において符号Ｄ１により示すように、この操作により時計回りの円弧を描く軌跡が検出された場合、コントローラ３３は、コントロールバーＢ１の表示を中止してコンテンツに係る映像を拡大して表示する。またさらにユーザーにより時計回りの操作が検出されると、コンテンツの表示に係る水平方向が表示画面の横方向となるように、コンテンツに係る映像を拡大して表示する。またこれとは逆に、符号Ｄ２により示すように、この操作により反時計回りの円弧を描く軌跡が検出された場合、コントローラ３３は、時計回りの操作の場合とは逆に、順次、映像の表示を縮小する。
【００８８】
これによっても映像コンテンツの再生に係るユーザーのイメージする表示の切り換えをタッチパネル３９を用いた指によるジェスチャーにより入力することができるようになされ、その分、ユーザーの使い勝手を向上するようになされている。
【００８９】
コントローラ３３は、プログラムメニュー画面においてテレビジョン放送の視聴を指示するメニューＭ１が選択された場合、図１２について上述したと同様に、ラストメモリの記録に従ってコンテンツ、コントロールバー等を表示し、さらにはユーザーによる操作に応動してテレビジョン放送に係るコンテンツを切り換える。しかしてこの場合、コントロールバーにあっては、チャンネルのアップ、ダウンを指示するメニュー、電子番組表による鑑賞可能なコンテンツ一覧の表示を指示するメニュー等がコンテンツのタイトルと共に表示される。また選択可能なコンテンツにあっては通信ユニット３４を介して取得した電子番組表による番組一覧が提供される。なおこのテレビジョン放送の受信時にあっては、上述した映像コンテンツの表示画面と同様に表示画面が形成されることにより、以下の説明においては、適宜、図１２〜図１６を流用して説明する。
【００９０】
コントローラ３３は、このテレビジョン放送に係る表示においても、ユーザーによるタッチパネル３９、リモートコマンダー４０の操作に応動してコントロールバーの表示／非表示のメニューを表示し、このメニューの選択により、さらにはまたこのメニュー画面に設定されたメニューの操作により、コントロールバーを表示しないように設定する。またこのコントロールバーの操作によりチャンネルをアップ、ダウンし、さらには受信可能なチャンネルをシークにより検出する。
【００９１】
このテレビジョン放送の受信において、ユーザーによるタッチパネル３９の操作が検出され、図１３において符号Ａ１により示すように、この操作により上方向への直線の軌跡が検出された場合、コントローラ３３は、受信チャンネルをアップさせる。またこれとは逆に、図１３において符号Ａ２により示すように、この操作により下方向への直線の軌跡が検出された場合、コントローラ３３は、受信チャンネルをダウンさせる。なおこの場合も、図１４においてそれぞれ符号Ｂ１、Ｂ２により示すように、画面の中央を跨ぐ左側から右側への直線の軌跡により、又は画面の中央を跨ぐ右側から左側への直線の軌跡により、受信チャンネルをアップ、ダウンさせるようにしてもよい。
【００９２】
しかしてこの場合も、このような受信チャンネルの切り換えをメニューの操作により実行する場合、この実施例においては、コントロールバーの操作により実行するものの、コントロールバーＢ１の表示を中止している場合もあり、この場合には、コントロールバーＢ１を表示させてメニューを選択することになる。これに対して軌跡により検出されるユーザーによるタッチパネル３９による入力にあっては、受信チャンネルのアップ、ダウンを指示する仕草であると言える。これによりこの場合もユーザーのイメージする表示の切り換えをタッチパネル３９を用いた指によるジェスチャーにより入力することができるようになされ、その分、ユーザーの使い勝手を向上するようになされている。
【００９３】
これに対してテレビジョン放送の受信画面において、ユーザーによるタッチパネル３９の操作が検出され、図１５において符号Ｃ１により示すように、この操作により画面の右半分において、右側への直線による短い軌跡が検出された場合、又は符号Ｃ２により示すように、画面の右半分において、右側への直線による長い軌跡が検出された場合、コントローラ３３は、受信チャンネルをアップする方向にシークの処理を実行し、受信チャンネルを順次上昇させて受信可能なチャンネルを受信する。またこれとは逆に、符号Ｃ３により示すように、画面の左半分において、左側への直線による短い軌跡が検出された場合、又は符号Ｃ４により示すように、画面の左半分において、左側への直線による長い軌跡が検出された場合、受信チャンネルをダウンする方向にシークの処理を実行し、受信チャンネルを順次上昇させて受信可能なチャンネルを受信する。
【００９４】
しかしてこの場合も、このようなシークの指示をメニューの操作により実行する場合、この実施例においては、コントロールバーの操作により実行するものの、コントロールバーＢ１の表示を中止している場合もあり、この場合には、コントロールバーＢ１を表示させてメニューを選択することになる。これに対して軌跡により検出されるユーザーによるタッチパネル３９による入力にあっては、受信チャンネルを上昇、下降させる方向にシークを指示する仕草であると言える。これによりこの場合もユーザーのイメージする表示の切り換えをタッチパネル３９を用いた指によるジェスチャーにより入力することができるようになされ、その分、ユーザーの使い勝手を向上するようになされている。
【００９５】
またコントローラ３３は、プログラムメニュー画面において静止画に係るメニューＭ８が選択されると、図１７に示すように、マトリックス状に静止画のサムネイル画像Ｓを表示する。また静止画の枚数が多く１画面によりサムネイル画像Ｓを表示しきれない場合、右端及び下端に、スクロールバー、このスクロールバーの操作メニューを表示する。
【００９６】
コントローラ３３は、この表示においても、フォーカスが設定されているサムネイル画像を縁取りにより示し、タッチパネル３９、リモートコマンダー４０の操作により、フォーカスを切り換えてユーザーによる選択を受け付ける。このとき、符号Ｅ１及びＥ２により示すように、スクロールバー上において、ドラッグの操作が検出されると、フォーカスを切り換える。またこのとき１画面によりサムネイル画像Ｓを表示しきれない場合、マトリックス状によるサムネイル画像の表示をスクロールさせてフォーカスを切り換え、これによりフォーカスを切り換える。これによりこの実施例では、多数の静止画より所望の静止画を選択する場合に、簡易かつ確実に所望する静止画を選択できるようになされている。しかして車載装置１においては、表示に供する画面の大きさが制限されることにより、コンテンツの数が多少増大しただけでも、このようにメニューを表示しきれない場合が発生し、これにより車載装置１に適用してユーザーの使い勝手を向上することができるようになされている。
【００９７】
これに対してユーザーによるタッチパネル３９の操作が検出され、図１８において符号Ｆ１により示すように、この操作により上方向への直線の軌跡が検出された場合、コントローラ３３は、フォーカスを上方向に切り換える。またこのとき１画面によりサムネイル画像Ｓを表示しきれない場合、マトリックス状によるサムネイル画像の表示を下方向にスクロールさせて上方向にフォーカスを切り換える。またこれとは逆に、符号Ｆ２により示すように、この操作により下方向への直線の軌跡が検出された場合、コントローラ３３は、フォーカスを下方向に切り換える。またこのとき１画面によりサムネイル画像Ｓを表示しきれない場合、マトリックス状によるサムネイル画像の表示を上方向にスクロールさせて下方向にフォーカスを切り換える。また符号Ｆ３及びＦ４により示すように、この操作により右方向又は左方向への直線の軌跡が検出された場合、コントローラ３３は、フォーカスを右方向又は左方向に切り換える。またこのとき１画面によりサムネイル画像Ｓを表示しきれない場合、マトリックス状によるサムネイル画像の表示を左方向又は右方向にスクロールさせ、これにより右方向又は左方向にフォーカスを切り換える。
【００９８】
しかしてこの場合も、このような表示のスクロールによるフォーカスの切り換えにあっては、スクロールバーの操作により実行することができる。これに対して軌跡により検出されるユーザーによるタッチパネル３９による入力にあっては、各方向に表示の切り換えを指示する仕草であると言え、感覚的な操作であると言える。これによりこの場合もユーザーのイメージする表示の切り換えをタッチパネル３９を用いた指によるジェスチャーで入力できるようになされ、その分、ユーザーの使い勝手を向上するようになされている。
【００９９】
コントローラ３３は、このようにして表示してなるサムネイル画像の選択により、対応する静止画を表示する。なおこの静止画の表示においては、図１２について上述したと同様に、静止画による画像をコントロールバーと共に表示して実行されることにより、以下の説明においては、この図１２に関連する図１３、図１５等を流用して説明する。コントローラ３３は、この静止画の表示におけるコントロールバーの操作により、表示対象を切り換える。
【０１００】
この場合にあっても、ユーザーによるタッチパネル３９の操作が検出され、図１３において符号Ａ１により示すように、この操作により上方向への直線の軌跡が検出された場合、コントローラ３３は、マトリックス状のサムネイル画像の表示において、現在表示中の静止画に係るサムネイル画像の上の行に配置してなるサムネイル画像の静止画に、表示対象を切り換える。またこれとは逆に、図１３において符号Ａ２により示すように、この操作により下方向への直線の軌跡が検出された場合、コントローラ３３は、マトリックス状のサムネイル画像の表示において下の行に配置してなるサムネイル画像の静止画に、表示対象を切り換える。また図１５において、符号Ｃ１及びＣ２により示すように、それぞれ右方向及び左方向への直線の軌跡が検出された場合、コントローラ３３は、マトリックス状のサムネイル画像の表示において、右側及び左側に配置してなるサムネイル画像の静止画に、表示対象を切り換える。また図１６において符号Ｄ１及びＤ２により示すように、それぞれ時計回り及び反時計回りによる円弧の軌跡が検出された場合、コントローラ３３は、静止画の表示を拡大、縮小する。
【０１０１】
しかしてこのような表示の切り換えにあっても、コントロールバーの操作により実行できるようになされているものの、コントロールバーによる操作においては、このコントロールバーが表示されていない場合には、コントロールバーを表示させてメニューを選択することになる。これに対してこのようなタッチパネル３９により検出されるユーザーによる入力にあっては、各方向に表示の切り換え、表示の拡大、縮小を指示する仕草であると言え、感覚的な操作であると言える。これによりこの場合もユーザーのイメージする表示の切り換えをタッチパネル３９を用いた指によるジェスチャーにより入力することができるようになされ、その分、ユーザーの使い勝手を向上するようになされている。
【０１０２】
コントローラ３３は、ＡＵＸ入力に係るコンテンツの再生を指示するＡＵＸによるメニューＭ５、インターネットに係るブラウザの起動を指示するＷＥＢによるメニューＭ６、電子メールに係る処理を指示するＭａｉｌによるメニューＭ７がそれぞれ選択された場合、対応する表示画面を表示し、この表示画面にコントロールバーを表示してユーザーによる操作を受け付ける。
【０１０３】
これらの場合においても、図１５において符号Ｃ１、Ｃ２により示す軌跡が検出されると、さらには図１２において符号Ａ１、Ａ２により示す軌跡が検出されると、表示に供するページを切り換える。これによりこのような電子メールの閲覧、ホームページの閲覧等に関しても、ユーザーのイメージする表示の切り換えをタッチパネル３９を用いた指によるジェスチャーにより入力することができるようになされ、その分、ユーザーの使い勝手を向上するようになされている。
【０１０４】
これに対して音楽コンテンツの再生を指示するＡｕｄｉｏによるメニューＭ３がユーザーにより選択された場合、コントローラ３３は、図１９に示す表示画面を表示する。ここでコントローラ３３は、ラストメモリの記録に従ってハードディスク装置３５に記録された音楽コンテンツを再生してユーザーに提供し、この表示画面を表示する。ここでコントローラ３３は、表示画面の上側、帯状の部位に、音楽コンテンツの提供であることを示すタイトルを表示する。また画面左側に、順次、戻るのメニューＭ３１、曲名のメニューＭ３２、ジャンルのメニューＭ３３、アーティストのメニューＭ３４、プレイリストのメニューＭ３５、アルバムのメニューＭ３６を表示する。ここでハードディスク装置３５に記録されている音楽コンテンツにおいては、曲名の他に、ジャンル、アーティスト、プレイリスト、アルバムにより区分可能に記録され、コントローラ３３においては、この区分によりメニューＭ３２〜Ｍ３６のユーザーによる選択に応動して、ハードディスク装置３５に記録された音楽コンテンツの一覧を右側の一覧表示欄に表示する。
【０１０５】
この表示画面には、このような選択に係るアーティスト名、アルバム名等の表示欄が中央に形成され、続く右側欄に、各区分に係る提供可能なコンテンツの一覧が表示される。コントローラ３３は、この一覧の表示領域に選択可能なコンテンツを表示しきれない場合、この一覧表示のスクロールにより選択可能なコンテンツを表示し、またスクロール可能な方向をこの一覧の左側に矢印により表示する。しかして図１９の例では、上下に矢印が設けられて、表示領域を上下にはみだしてコンテンツの一覧表が存在していることが示されるようになされている。またこの場合、コントローラ３３は、この一覧表示の右側に、スクロールバーＢ２を表示し、またこのスクロールバーＢ２の上下に、上下方向へのスクロールを指示するメニューＢＵ、ＢＤを表示する。なおこの一覧においては、フォーカスされているメニューを左側に飛び出させて表示するようになされている。
【０１０６】
コントローラ３３は、ユーザーによるこれらメニューＭ３１〜Ｍ３６、一覧表示に係るスクロールバーのＢ２の操作により、図１２（Ｂ）について上述したと同様にして、ユーザーによる選択操作に対応するように、再生対象のコンテンツを切り換える。
【０１０７】
またこの一覧画面には、画面下部に、コントロールバーＢ１が表示される。ここでコントロールバーＢ１には、アーティスト名の表示領域に表示する動画による壁紙を切り換えるビジュアライザーのメニュー、シャッフル再生を指示するメニュー、リピート再生を指示するメニューが左端に順次配置される。また右側には、巻き戻し、次曲に戻る、一時停止／再生、次曲に進む、早送り、リスト、コントロールバーの表示／非表示のメニューが順次表示される。
【０１０８】
しかしてコントローラ３３は、この表示画面を表示した直後においては、現在ユーザーに提供している音楽コンテンツに関して、再生中のアルバム等に係るコンテンツ一覧を表示し、コントロールバーＢ１に設けられたリストのメニューの操作により、上述した一覧表示欄の表示を現在再生中の曲の一覧表示から、提供可能なコンテンツの一覧表示に切り換えるようになされ、またこの表示の切り換えに対応して、ユーザーによる操作に対してコントロールバーＢ１のメニューからメニューＭ３１〜Ｍ３６等にフォーカスを切り換えるようになされている。また他のコントロールバーＢ１のメニューの選択により、全体の動作を切り換えるようになされている。
【０１０９】
これに対してタッチパネル３９によりユーザーの操作が検出され、符号Ｇ１により示すように、この操作によりスクロールバーＢ２上において、ドラッグの操作が検出されると、コントローラ３３は、この操作に応動して一覧画面のフォーカスを切り換える。またこのとき１画面により一覧を表示しきれない場合、一覧表示をスクロールさせてフォーカスを切り換える。
【０１１０】
また符号Ｈ１により示すように、この操作により上方向への軌跡が検出された場合、コントローラ３３は、再生対象を次のアルバム、アーティスト、ジャンルに切り換える。またこれとは逆に、符号Ｈ２により示すように、下方向への軌跡が検出された場合、コントローラ３３は、再生対象を前のアルバム、アーティスト、ジャンルに切り換える。これに対して符号Ｈ３により示すように、この操作により右方向への軌跡が検出された場合、コントローラ３３は、再生対象を次の曲に切り換える。またこれとは逆に、符号Ｈ４により示すように、左方向への軌跡が検出された場合、コントローラ３３は、再生対象を前の曲に切り換える。
【０１１１】
これによりこのような音楽の切り換えに関しても、ユーザーのイメージする表示の切換えをタッチパネル３９を用いた指によるジェスチャーにより入力することができるようになされ、その分、ユーザーの使い勝手を向上するようになされている。
【０１１２】
ところでこのような指のジェスチャーによる入力の受け付けにあっては、ユーザーによって入力方法が種々に相違することが予測される。これによりコントローラ３３は、図１３等について上述したメニュー画面において、階層を辿ってチュートリアルのメニューが選択されると、図２０に示すチュートリアルの表示画面を表示し、この表示画面でユーザーによる指の操作を案内する。
【０１１３】
ここでこのチュートリアルの表示画面においては、最上端に、帯状の領域が形成され、この帯状の領域の左側に、表示画面のタイトルが表示され、また右側に、チュートリアルに係るアプリケーションプログラムの切り換えメニューＭＴ１、チュートリアルの終了メニューＭＴ２が表示される。コントローラ３３は、チュートリアルに係るアプリケーションプログラムの切り換えメニューＭＴ１の操作により、プログラムメニュー画面におけるメニューＭ１〜Ｍ８の各アプリケーションプログラムについて、順次循環的に、このチュートリアルの対象を切り換える。また終了のメニューＭＴ２の操作により、このチュートリアルを終了する。
【０１１４】
またこの表示画面においては、棒状の領域の下側領域が左右に２分割され、左側領域にチュートリアルの対象に係る映像が表示され、この左側領域がチュートリアルの入力領域に割り当てられる。また残りの右側領域が上下に２分割され、上側領域に、この車載装置１において、タッチパネル３９の操作により認識される各種の軌跡が表示され、これら各種の軌跡の表示のうちで、このチュートリアルに係るアプリケーションプログラムによっては認識されない軌跡の表示が輝度レベルを低減して表示される。これによりこの図２０の例では、車載装置１では全部で１６種類の軌跡を認識でき、チュートリアルに係るアプリケーションプログラムが地図表示に係るアプリケーションプログラムに設定されて、この地図表示に係るアプリケーションプログラムでは、１４種類の軌跡が認識されることが示されるようになされている。この表示画面では、ユーザーによる指示によりこれらの軌跡の１つを選択できるように形成され、これら軌跡の表示の下側領域に、この選択された軌跡による入力の内容がテキストにより表示されるようになされている。なおこの図２０では、１６種類の軌跡による例を示したが、この実施例においては、この軌跡の表示に上述の四角形形状の軌跡等が含まれることは言うまでもない。
【０１１５】
コントローラ３３は、このチュートリアルの表示画面において、チュートリアルの入力領域でユーザーによる入力を受け付け、この入力により入力領域の表示を切り換える。これによりこの実施例においては、ジェスチャーによる入力を確認できるようになされている。
【０１１６】
（２）実施例の動作
以上の構成において、この車載装置１では（図１及び図２）、車内に設けられた車載用クレードル２Ａに載置することにより、車両より電源の供給を受け、また車両に設けられた外部ユニット２１、カーオーディオ装置２８等に接続され、これにより車両で使用可能となる。車載装置１では、電源スイッチ１２の操作により電源が立ち上げられ、ナビゲーションに利用できるようになされ、またハードディスク装置３５に記録された音楽、映像コンテンツ、テレビジョン放送によるコンテンツを楽しむことができ、さらには現在位置を確認することができる。
【０１１７】
このようにしてコンテンツ、現在位置等の確認に供する車載装置１においては、リモートコマンダー４０の操作により、又は表示画面に設けられたタッチパネル３９の操作により、利用可能なアプリケーションのメニューであるプログラムメニュー画面が表示され（図３）、このプログラムメニュー画面におけるメニューの選択により、所望するアプリケーションが起動し、これにより例えばテレビジョン放送によるコンテンツを楽しむことができる。またこれにより複数のアプリケーションを立ち上げて、例えば音楽を視聴しながら、例えば地図を表示して現在位置を確認することができる。
【０１１８】
またこのようにアプリケーションを選択して、各アプリケーションのメイン画面においては、コンテンツの選択に係るリスト画面へのメニュー等が表示され、さらにはコンテンツの再生等に係る各種のメニューが表示され、タッチパネル３９の操作により、またリモートコマンダー４０の操作によりこれらメニューを選択してコンテンツを切り換える等の各種操作を実行することができる。
【０１１９】
しかしながらこのようなメニュー画面による操作においては、メニュー画面を表示して所望するメニューを選択することが必要なことにより、操作が煩雑になる。特に、このような多くの機能を有する装置においては、多くの機能を有する分、メニューに係る階層が増大する傾向にあり、その分、操作の回数が増大して使い勝手が劣化する。また階層の増大を伴わないまでも、機能が増大した分、メニューの種類が多くなり、これによりメニューの選択に係るユーザーの負担になる。特に車載装置においては、例えば交差点で一時停止したような短時間で的確に操作することが求められることにより、このような負担にあっては、安全運転の支障となる恐れがある。
【０１２０】
このためこの実施例においては、このようなメニューの選択によって表示を切り換えるようにして、タッチパネルを用いた指によるジェスチャーによっても表示の切り換えを受け付けることができるようになされ、これによりメニュー画面の表示、このメニュー画面におけるメニューの選択による表示の切り換えを、１つのジェスチャーにより実行し得、これによりユーザーによる操作の負担、操作手順の記憶に係る負担を軽減して使い勝手を向上することができる。またいちいちメニュー画面を表示しなくてもよいことにより、メニューを表示することによる表示画面の煩雑さについても、有効に回避し得、これによってもユーザーの使い勝手を向上することができる。これらにより安全運転を向上し、さらには快適な室内空間を形成することができる。
【０１２１】
またこのようなジャスチャーをユーザーのイメージする表示の切り換えに設定することにより、操作に不慣れなユーザーにおいても、簡易かつ確実に表示を切り換えることができる。
【０１２２】
具体的に、例えば子画面表示する場合には、表示の切り換えにより形成される子画面の外形形状に似た形状による四角形形状の軌跡をタッチパネル３９上に形成することにより、表示の切り換え結果によるユーザーのイメージを基準にして、子画面表示を開始し（図８（Ａ）及び（Ｂ））、また同様にして２次元表示、３次元表示、画面分割の表示を開始し（図９、図１１）、これによりユーザーの使い勝手を向上することができる。
【０１２３】
これに対して子画面の表示を中止する場合、さらには子画面と親画面との表示を入れ換える場合にあっては、不要な表示を画面の外側に移動させるような軌跡により、さらには一方の画面を他方に移動させるような軌跡により、表示の切り換えにおける表示の遷移のイメージを基準にして表示を切り換え（図８（Ｂ）及び（Ｃ））、また視点を変化させ（図１０）、これによってもユーザーの使い勝手を向上することができる。
【０１２４】
またコンテンツの提供においては、上下、左右方向への軌跡により、再生速度、再生方向を切り換え、さらにはユーザーに提供するコンテンツを切り換え（図１３〜図１９）、これによりこの場合は、表示の切り換えにおける表示の遷移のイメージを基準にして表示を切り換え、これによってもユーザーの使い勝手を向上することができる。
【０１２５】
またこのようにジェスチャーにより入力を受け付けるようにして、ユーザーによる操作によりチュートリアルの画面を表示し（図２０）、この画面によりユーザーを手引きすることにより、操作に不慣れなユーザーにおいても、簡易に操作を習得することができ、これによってもユーザーの使い勝手を向上することができる。
【０１２６】
（３）実施例の効果
以上の構成によれば、タッチパネルを用いた指によるジェスチャーにより表示の切り換えを受け付けることにより、ユーザーの使い勝手を向上することができる。
【０１２７】
またこの指によるジェスチャーが、ユーザーのイメージする表示の切り換えであることにより、操作に不慣れなユーザーにおいても、簡易かつ確実に表示を切り換えることができる。
【０１２８】
またこのユーザーのイメージする表示の切り換えが、表示画面における表示の切り換え結果であることにより、操作に不慣れなユーザーにおいても、例えば子画面表示、２次元表示等の切り換えを、簡易かつ確実に実行することができる。
【０１２９】
またこのユーザーのイメージする表示の切り換えが、表示画面における表示の遷移であることにより、操作に不慣れなユーザーにおいても、例えば子画面の表示の中止、親画面と子画面との表示の入れ換え等を、簡易かつ確実に実行することができる。
【０１３０】
すなわちこのような表示画面における表示の切り換えが、地図の表示の切り換えであり、又はコンテンツの表示の切り換えであることにより、それぞれ地図表示の切り換え、コンテンツの提供に適用してユーザーの使い勝手を向上することができる。
【実施例２】
【０１３１】
なお上述の実施例においては、コンテンツの再生機能、カーナビゲーション機能を有する車載装置に本発明を適用する場合について述べたが、本発明はこれに限らず、これらの機能のうちの一方の機能のみを有している車載装置等にも広く適用することができる。
【産業上の利用可能性】
【０１３２】
本発明は、ナビゲーション機能、コンテンツの再生機能を有する車載装置に適用することができる。
【符号の説明】
【０１３３】
１    車載装置
２Ａ、２Ｂ    クレードル
１２、１３Ｐ〜１８Ｐ    操作子
１１    表示画面
３３    コントローラ
３５    ハードディスク装置
３９    タッチパネル
４０    リモートコマンダー
【図１】
2010157252.tif 000003
【図２】
2010157252.tif 000004
【図３】
2010157252.tif 000005
【図４】
2010157252.tif 000006
【図５】
2010157252.tif 000007
【図６】
2010157252.tif 000008
【図７】
2010157252.tif 000009
【図８】
2010157252.tif 000010
【図９】
2010157252.tif 000011
【図１０】
2010157252.tif 000012
【図１１】
2010157252.tif 000013
【図１２】
2010157252.tif 000014
【図１３】
2010157252.tif 000015
【図１４】
2010157252.tif 000016
【図１５】
2010157252.tif 000017
【図１６】
2010157252.tif 000018
【図１７】
2010157252.tif 000019
【図１８】
2010157252.tif 000020
【図１９】
2010157252.tif 000021
【図２０】
2010157252.tif 000022